(57)【要約】【課題】  この発明は、作業空間の環境を良好に保つことのできる作業用車両を提供する。【解決手段】  この発明は、車両と、該車両に一体に形成される作業用空間を画成する作業用ボックスとによって構成される作業用車両において、前記作業用ボックスは、前記作業用ボックスの前記車両の運転席側に配されると共に、小動物を洗浄する洗浄浴槽、該洗浄浴槽に一体に形成された給水タンク、及び該給水タンクと接続される給湯システムによって少なくとも構成されるバスユニットと、上面にフィルタを具備した吸気口が形成される吸気ダクト及び吸気ダクトと接続される吸気手段とが内設されるトリミング台、及び該トリミング台に載置され、前記吸気口と連通する集塵口が開口するトリミングテーブルからなるトリミングユニットと、床下に形成された排水タンクとを具備することにある。【選択図】    図３
2006121992.tif 000002
【特許請求の範囲】
【請求項１】
車両と、該車両に一体に形成される作業用空間を画成する作業用ボックスとによって構成される作業用車両において、
前記作業用ボックスは、
前記作業用ボックスの前記車両の運転席側に配されると共に、小動物を洗浄する洗浄浴槽、該洗浄浴槽に一体に形成された給水タンク、及び該給水タンクと接続される給湯システムによって少なくとも構成されるバスユニットと、
上面にフィルタを具備した吸気口が形成される吸気ダクト及び吸気ダクトと接続される吸気手段とが内設されるトリミング台、及び該トリミング台に載置され、前記吸気口と連通する集塵口が開口するトリミングテーブルからなるトリミングユニットと、
床下に形成された排水タンクとを具備することを特徴とする作業用車両。
【請求項２】
前記トリミングユニットのトリミング台は、ドライヤ吹き出し口と、該ドライヤ吹き出し口に接続されるドライヤとを具備することを特徴とする請求項１記載の作業用車両。
【請求項３】
前記トリミングユニットのトリミング台は、床面に開口する集塵開口部と、該集塵開口部に接続される排気ダクトと、該排気ダクトに接続される排気用ファンとによって構成される床部集塵装置を具備することを特徴とする請求項１又は２記載の作業用車両。
【請求項４】
前記トリミングユニットのトリミング台は、掃除機用ホースが接続可能な掃除機用開口部と、該掃除機用開口部に接続される掃除機とを具備することを特徴とする請求項１、２又は３記載の作業用車両。
【請求項５】
前記トリミングテーブルは、前記作業用ボックスの壁面に立設可能であることを特徴とする請求項１〜４のいずれ一つに記載の作業用車両。
【請求項６】
前記車両の運転台と前記作業ボックスと間には、ファンを具備する連通口が形成されることを特徴とする請求項１〜５のいずれか一つに記載の作業用車両。
【請求項７】
前記作業用ボックスの天井部は、正逆回転可能なファンを具備する換気口が形成されることを特徴とする請求項１〜６のいずれか一つに記載の作業用車両。
【請求項８】
前記バスユニットの洗浄浴槽は、車両後方側壁部に所定の大きさの開口部が形成されると共に、この開口部の周縁には、該開口部を遮蔽するプレートが装着可能な溝部が形成され、前記洗浄浴槽の運転席側壁部には運転席から前記作業用ボックスの後方壁部に形成された窓部を介して後方確認可能な覗き窓部が形成されることを特徴とする請求項１〜７のいずれか一つに記載の作業用車両。
【請求項９】
前記作業用ボックスは、発電機と、外部供給電源端子と、必要に応じて発電機と外部供給電源端子とを切り換えるスイッチ手段とを具備することを特徴とする請求項１〜８のいずれか一つに記載の作業用車両。
【発明の詳細な説明】
【技術分野】
【０００１】
この発明は、ペットの洗浄、毛カット、乾燥等のトリミングを行うことのできる作業用ボックスを具備した作業用車両に関する。
【背景技術】
【０００２】
特許文献１は、内側にペット洗浄空間を形成すると共に、このペット洗浄空間を上方に開放したものとする開口を形成してある浴槽本体と、この浴槽本体を支持する支持体と、それ自体を浴槽本体に取り付けて前記開口を部分的あるいは全体的に閉塞する閉塞状態とすることができる天板部とから構成してあると共に、前記閉塞状態において前記天板部にペットを乗せて置くことができるようにしたペット作業台を備えたペット美容車両を開示する。また、この特許文献１の従来の技術の欄及び特許文献２において、従来のペットの出張美容サービスを行うためのペット用美容自動車として、カットなどの美容作業を行う作業台と、ペット洗浄作業に使う給排水を貯めておく給排水槽と、給水槽に連結した給湯器と、給湯器や給水槽に連結したシャワー式水栓と、シャワー式水洗の湯水を流す浴槽でその排水口が排水槽に連結したものを備えた車両が開示されている。
【０００３】
特許文献３は、上面が開口した浴槽本体の側壁に動物用の出入口を設け、当該出入口に開閉自在に扉体を取り付け、浴槽本体に昇降装置駆動軸を連結して浴槽本体を高さ位置可変に構成した動物用浴槽装置を開示する。また、特許文献４では、浴槽の側壁を切り欠いた方形開口に外嵌し固着する開口補強枠と、前記開口補強枠に外嵌し浴槽側壁に接着する凹形枠体と、前記凹形枠体の背面の一側縁部に片方の側縁を回動自在に取り付け、開閉固定自在に凹形枠体の正面開口部を閉止する片開きドアと、前記片開きドアの正面に対向する凹形枠体背面の下部から両側にＵ形帯状に固設され、片開きドア閉止時片開きドア正面に形成された突条に密接するシーリング材とからなる浴槽用ドア装置を開示する。
【特許文献１】特開２００４−２４１４８号公報
【特許文献２】特開２００４−２４１１１号公報
【特許文献３】特開２００２−１２５５０２号公報
【特許文献４】実用新案登録第３０７５９０６号
【発明の開示】
【発明が解決しようとする課題】
【０００４】
しかしながら、従来のペット用の作業用車両においては、狭い空間においてペット等の小動物の乾燥や毛カットを行った場合、小動物の毛が空気中に散乱し、作業者の健康に良くないだけでなく、作業空間の掃除が大変であるという不具合があった。
【０００５】
また、作業空間においては、シャワーやドライヤを使用することから、作業空間の湿度及び温度が非常に高くなり、作業環境が非常に悪いという不具合が生じる。
【０００６】
このため、この発明は、作業空間の環境を良好に保つことのできる作業用車両を提供することにある。
【課題を解決するための手段】
【０００７】
したがって、この発明は、車両と、該車両に一体に形成される作業用空間を画成する作業用ボックスとによって構成される作業用車両において、前記作業用ボックスは、前記作業用ボックスの前記車両の運転席側に配されると共に、小動物を洗浄する洗浄浴槽、該洗浄浴槽に一体に形成された給水タンク、及び該給水タンクと接続される給湯システムによって少なくとも構成されるバスユニットと、上面にフィルタを具備した吸気口が形成される吸気ダクト及び吸気ダクトと接続される吸気手段とが内設されるトリミング台、及び該トリミング台に載置され、前記吸気口と連通する集塵口が開口するトリミングテーブルからなるトリミングユニットと、床下に形成された排水タンクとを具備することにある。
【０００８】
これによって、トリミングユニットでは、トリミングテーブル上で、ペット等の小動物の毛カットや、乾燥を行う場合に、吸気手段としてのファンを駆動させることによって、飛散する毛を集塵口から吸引できるため、毛の飛散を防止できるものである。
【０００９】
また、前記トリミングユニットのトリミング台は、ドライヤ吹き出し口と、該ドライヤ吹き出し口に接続されるドライヤとを具備することが望ましく、床面に開口する集塵開口部と、該集塵開口部に接続される排気ダクトと、該排気ダクトに接続される排気用ファンとによって構成される床部集塵装置を具備することが望ましく、掃除機用ホースが接続可能な掃除機用開口部と、該掃除機用開口部に接続される掃除機とを具備することが望ましい。また、前記トリミング台の内部は、前記作業用ボックスの平面に形成された換気口を介して外気と連通することが望ましい。
【００１０】
これによって、床面に落ちた毛を床部集塵装置による集塵することができる共に、掃除機用開口部に掃除機のホースを接続することによって通常の床掃除も可能となるものである。
【００１１】
さらに、前記トリミングテーブルは、前記作業用ボックスの壁面に立設可能であることが望ましい。これによって、トリミング作業以外の場合の作業空間を確保できる。
【００１２】
さらにまた、前記車両の運転台と前記作業ボックスと間には、ファンを具備する連通口が形成されることが望ましい。これによって、運手席にある空調装置による温調された空気、特に冷気を作業空間内に取り入れることができる。
【００１３】
また、前記作業用ボックスの天井部は、正逆回転可能なファンを具備する換気口が形成されることが望ましい。これによって、作業空間内の圧力を調整することができるため、集塵装置等を使用している場合には、積極的に外気を導入して集塵効率を高めることができると共に、シャワー使用時には、内部の湿気を外気に放出することができる。
【００１４】
さらに、前記バスユニットの洗浄浴槽は、車両後方側壁部に所定の大きさの開口部が形成されると共に、この開口部の周縁には、該開口部を遮蔽するプレートが装着可能な溝部が形成され、前記洗浄浴槽の運転席側壁部には運転席から前記作業用ボックスの後方壁部に形成された窓部を介して後方確認可能な覗き窓部が形成されることが望ましい。これによって、車両をバックさせる場合など、安全運転を行うことができる。
【００１５】
さらにまた、前記作業用ボックスは、発電機と、外部供給電源端子と、必要に応じて発電機と外部供給電源端子とを切り換えるスイッチ手段とを具備することが望ましい。これによって、外部から電気の供給を受けられる場合には、スイッチ手段を切り換えて外部電源により作業を行うことができる。また、外部からの供給を行うことができない場合には、発電機を起動させることによって作業を行うことができる。
【発明の効果】
【００１６】
以上のことから、この発明によれば、小動物の毛の飛散を確実に防止することができると共に、温度調整も簡単に行うことができることから、作業空間内の作業環境を著しく向上させることができるものである。また、これは、ペット等にとっても快適な空間となるものである。
【発明を実施するための最良の形態】
【００１７】
以下、この発明の実施例について図面により説明する。
【実施例１】
【００１８】
図１及び図２には、本願発明の実施例１に係る作業用車両の一例が示される。この作業用車両１は、移動のための車両２と、この車両２に一体に設置された作業用ボックス３とによって構成される。また、前記作業用ボックス３は、前記車両２に設置された側壁部３ａと、その側壁部３ａの上面に固定された屋根部３ｂとによって構成される。さらに、屋根部３ｂには、明かり取りのための窓部３５が設けられ、また、洗浄浴槽近傍の側壁部３ａには、開閉可能な小窓部３７が形成される。
【００１９】
また、図３に示すように、作業用ボックス３の内部に画成される作業空間４には、バスユニット１０及びトリミングユニット２０が載置され、前記作業ボックス３の床下には排水タンク３０と、発電機収納部４０とが形成される。また、車両２のコンパートメントの上部に位置する作業用ボックス３には、収納スペース５０が設けられ、その作業空間４側には、落下防止用のネット５１が配される。また、バスユニット１０の近傍には、給湯システム６０が設置される。さらに、７０は、電源切替用の配電盤である。
【００２０】
前記バスユニット１０は、図３，図６及び図７で示されるように、前記作業空間４内の車両の運転席側に設置され、Ｌ字状に形成された給水タンク１２と、この給水タンク１２と一体に成形された洗浄浴槽１１とを具備する。前記洗浄浴槽１１は、作業者の立ち位置側に側壁に所定の大きさの開口部１５が形成され、洗浄するペット等の小動物の出し入れが容易であると共に、車両２の運転席側から後方を確認する場合の邪魔にならないようになっている。これによって、運転者は、洗浄浴槽１１の奥壁部１６に形成された覗き窓１７を介して作業用ボックス３の後方側面に形成された乗り降り扉３３に形成された窓部３４を介して後方が確認できるようになっているものである。また、この開口部１５は、所定の大きさのプレートを配することによって閉鎖することができる。１５ａは、このプレートを装着するために溝部である。
【００２１】
また、前記給水タンク１２は、約３００リットルの収容容積を有し、作業用ボックス３の側面に配された給水口１４ａから給水パイプ１４を介して給水可能であると共に、給水蓋１３を取ることによって室内から給水することもできる。そして、この給水タンク１２には、図示しない給水ポンプが設けられ、給湯システム６０を介して強力なシャワーを提供することができるものである。また、この実施例では、図示されないが、給湯システム６０を介した温水シャワーの他に、給湯システム６０の手前から直接水を放出することができる水シャワーが用意されており、洗浄浴槽１１内の掃除等に適宜使用することができるものである。尚、前記給水ポンプ１４及び給排水設備は、作業用ボックス３の側面に設けられたメンテナンス用扉３６を開けることによって容易にメンテナンスすることができるものである。
【００２２】
また、洗浄浴槽１１の底面は一方の方向に漸次傾斜するようになっており、その最終下方位置には、図示しない排水口が設けられ、使用した水は、排水パイプ１８を介して作業用ボックス３の床面下部に形成された排水タンク３０に排水され、貯水されるようになっている。
【００２３】
また、前記洗浄浴槽１２の上方には、運転席側と連通する連通口４２が設けられる。この連通口４２には、図示しないファンが設けられる。これによって、運的席側に設けられる空調装置を稼働させ、前記ファンを駆動することによって、運転席側の温調空気を作業空間４内に取り入れることができるようになっているものである。
【００２４】
前記トリミングユニット２０は、図４乃至図７に示すように、トリミング台２１と、このトリミング台２１の上部に移動可能に設置されるトリミングテーブル２２とによって構成される。トリミングテーブル２２は、前記蝶番等によって前記作業用ボックス３の側壁３ａ側に立てかけられるように形成されており、使用しない場合には側壁３ａ側に立てかけて固定される。また、使用する時には、前記トリミング台２１上に載置する。
【００２５】
前記トリミングテーブル２２は、集塵開口部２７を有する。この集塵開口部２７には、第１のフィルタ２８を装着することができる。
【００２６】
前記トリミング台２１には、ドライヤ吹出口８０、掃除機用開口部９０及び床面集塵口１００とが設けられる。
【００２７】
また、前記トリミング台２１には、トリミングテーブル２２を装着した場合に、前記集塵開口部２７と連通する吸引口２５が開口する吸引ダクト２３が設けられる。また、この吸引ダクト２３には、吸引ファン２４が設けられる。さらに、前記吸引口２５には、第２のフィルタ２６を設けることができる。これによって、トリミングテーブル２２を装着しない場合でも、換気扇や集塵装置の代わりとして使用することができるものである。
【００２８】
さらに、トリミング台２１の内部２０Ａは、図８に示すように、開口スリット３２が設けられた開閉扉３１を介して外部と連通しており、前記吸引ダクト２３及び吸引ファン２４が配されると共に、前記ドライヤ吹出口８０が接続されるドライヤ本体８１、前記掃除機用開口部９０が接続される掃除機本体９１、及び前記床部集塵口１００が接続される吸引ファン１０１が配される。さらに、余剰空間には、前記給湯システム６０のためにガスボンベ６１を収納することができる。尚、床部集塵口１００には、フィルタが装着される。
【００２９】
尚、トリミング台２１に設けられたスイッチ２９は、吸引ファン２４及び１０１を駆動するためのものであり、スイッチ８２はドライヤ８１を駆動するためのものである。また、掃除機本体９１は、前記掃除機用開口部９０に掃除機のホースを接続することによってホースに設けられたオンオフスイッチにより通常の掃除機と同様に使用することができるようになっている。
【００３０】
さらに、前記作業用ボックス３には、開閉できる硝子サッシ窓３８が設けられる。これによって、ペット等の洗浄、トリミング作業を外から確認できるため、依頼者も安心できるという効果がある。さらに、この硝子サッシ窓３８には、網戸３９が設けられ、硝子サッシ窓３８を開いた場合でも、虫の侵入を防止することができる。また、図８に示す７１は、外部電源端子を示すもので、前記配電盤７０に接続されるものである。
【００３１】
以上の構成の作業用車両１において、ペット等の洗浄、乾燥、トリミング等を最適な作業空間で行うことができるものである。
【図面の簡単な説明】
【００３２】
【図１】本願発明の実施例に係る作業用車両の前方斜視図である。
【図２】本願発明の実施例に係る作業用車両の後方斜視図である。
【図３】作業用ボックス内部の概略構成図である。
【図４】トリミングユニットの正面図である。
【図５】トリミング台内部の吸引ダクトの構成を示した説明図である。
【図６】バスユニット近傍を示した説明図である。
【図７】トリミングユニット近傍を示した説明図である。
【図８】トリミング台内部を示した説明図である。
【符号の説明】
【００３３】
１  作業用車両
２  車両
３  作業用ボックス
３ａ  側壁部
３ｂ  屋根部
１０  バスユニット
１１  洗浄浴槽
１２  給水タンク
２０  トリミングユニット
２１  トリミング台
２２  トリミングテーブル
３０  排水タンク
【図１】
2006121992.tif 000003
【図２】
2006121992.tif 000004
【図３】
2006121992.tif 000005
【図４】
2006121992.tif 000006
【図５】
2006121992.tif 000007
【図６】
2006121992.tif 000008
【図７】
2006121992.tif 000009
【図８】
2006121992.tif 000010